(57)【要約】【課題】配線を隠すための不透明部分を設けることなく、見栄えを良くできる照明付透明容器を提供する。【解決手段】照明付透明容器１は、被観賞物１００を載置するための載置台１０に透明な周囲壁部２０が立設されており、天井部３０が載置台１０に対面するように配設され、光源４０によって被観賞物１００に光を照射することができ、載置台１０の内部に配設した電源部と光源４０とを接続する配線４１，４２は、周囲壁部２０を経て光源４０の配設位置まで所定のデザインで配置した。【選択図】図１
2014147326.tif 000002
【特許請求の範囲】
【請求項１】
周囲壁部が透明な容器内に収容した被観賞物を、容器内に設けた光源からの光を照射して観賞できるようにした照明付透明容器において、
被観賞物を載置するための載置台と、該載置台に立設した透明な周囲壁部と、前記載置台に対面する天井部と、被観賞物に光を照射するための光源とを備え、
前記載置台の内部に電源部を配設し、
前記電源部と前記光源とを接続する配線は、前記周囲壁部を経て前記光源の配設位置まで所定のデザインで配置したことを特徴とする照明付透明容器。
【請求項２】
前記デザインは、所定の幾何学模様の繰り返しを含むものとしたことを特徴とする請求項１に記載の照明付透明容器。
【請求項３】
前記デザインは、蔓を模したものであることを特徴とする請求項１に記載の照明付透明容器。
【発明の詳細な説明】
【技術分野】
【０００１】
本発明は、周囲壁部が透明な容器内に収容した被観賞物を、容器内に設けた光源からの光を照射して観賞できるようにした照明付透明容器に関する。
【背景技術】
【０００２】
従来の照明付透明容器の一例として植物観賞と植物育成を兼ねた植物観賞用照明装置があるが、植物観賞に重点を置いた装置としては、例えば特許文献１に示すような植物観賞用照明装置がある。
すなわち、植物を植えた鉢を載せる台と、植物の上方に位置するように支柱に支えられた光源と、支柱よりも下方に配設された照明器具用安定器を備え、光源から台上の植物に光を照射するようにしたものである。
【０００３】
この特許文献１には、照明器具用安定器から光源への配線等の図示が省略されているのでどのように配線されているのか不明であるが、この場合、配線が見える状態では見栄えが悪いので、見栄えを良くするために不透明な支柱内に配線するものと考えられる。
【０００４】
また、透明容器内に植物を置いて当該植物の上方に配設した光源によって植物に光を照射するものもある。この場合にも、見栄えを良くするために透明容器の一部を不透明な支柱で構成し、該支柱内に光源への配線をすることが一般的である。また、支柱を有しない構成のものであっても透明容器の一部を不透明にし、該不透明にした部分に隠れるようにして光源への配線をすることが一般的である。
【先行技術文献】
【特許文献】
【０００５】
【特許文献１】特開２００６−１１５８０３号公報
【発明の概要】
【発明が解決しようとする課題】
【０００６】
前記のように従来の技術では、見栄えを悪くする配線を隠すために不透明な支柱や容器に形成した不透明部分等の内部に配線をしていた。このため、観賞者の位置によっては、観賞者の視線と植物との間に不透明な部分が入ってしまい、植物の一部または全部が隠れてしまうという問題が有った。
【０００７】
また、配線された部分を透明にすると、前記のように見栄えが悪くなるという問題が生じる。
【０００８】
本発明は、このような従来の技術が有する問題点に着目してなされたもので、配線を隠すための不透明部分を設けることなく、見栄えを良くすることができる照明付透明容器を提供することを目的としている。
【課題を解決するための手段】
【０００９】
前述した目的を達成するための本発明の要旨とするところは、次の各項の発明に存する。
［１］周囲壁部（２０）が透明な容器内に収容した被観賞物（１００）を、容器内に設けた光源（４０）からの光を照射して観賞できるようにした照明付透明容器（１）において、
被観賞物（１００）を載置するための載置台（１０）と、該載置台（１０）に立設した透明な周囲壁部（２０）と、前記載置台（１０）に対面する天井部（３０）と、被観賞物（１００）に光を照射するための光源（４０）とを備え、
前記載置台（１０）の内部に電源部を配設し、
前記電源部と前記光源（４０）とを接続する配線（４１，４２）は、前記周囲壁部（２０）を経て前記光源（４０）の配設位置まで所定のデザインで配置したことを特徴とする照明付透明容器（１）。
【００１０】
［２］前記デザインは、所定の幾何学模様の繰り返しを含むものとしたことを特徴とする［１］に記載の照明付透明容器（１）。
【００１１】
［３］前記デザインは、蔓を模したものであることを特徴とする［１］に記載の照明付透明容器（１）。
【００１２】
前記本発明は次のように作用する。
照明付透明容器（１）は、載置台（１０）の内部に配設された電源部から光源（４０）までの配線（４１，４２）が周囲壁部（２０）を経て所定のデザインで配置されているので、配線（４１，４２）による観賞者の不快感を軽減することができる。光源（４０）が天井部（３０）に有るときは、載置台（１０）から天井部（３０）まで周囲壁部（２０）の全高に亘って配線（４１，４２）が配置される。
【００１３】
所定のデザインを幾何学模様の繰り返しを含むものとすることにより、配線（４１，４２）の状態から受ける無造作な印象を解消して規則性のあるデザインを印象付けることができ、観賞者に与える配線（４１，４２）の不快感を大幅に軽減することができる。
【００１４】
また、所定のデザインを植物の蔓を模したものとすることにより、配線（４１，４２）の状態から受ける無造作な印象を解消して、配線（４１，４２）の配置から植物的なるものの印象を喚起することができ、観賞者に与える配線（４１，４２）の不快感を大幅に軽減することができる。
【発明の効果】
【００１５】
本発明にかかる照明付透明容器によれば、電源部から光源までの配線を意図的な所定のデザインとなるように配置してあるので、無造作に配置された配線が目に入ることによる不快感を解消することができる。
【図面の簡単な説明】
【００１６】
【図１】本発明の第１の実施の形態に係る照明付透明容器を示す斜視図である。
【図２】本発明の第１の実施の形態に係る照明付透明容器を示す背面図である。
【図３】図１の照明付透明容器から光源及び光源に接続されている配線を除いた状態を示す斜視図である。
【図４】（Ａ）は、照明付透明容器の周囲壁部の横断面図であり、（Ｂ）は、他の例を示す照明付透明容器の周囲壁部の横断面図である。
【図５】本発明の第１の実施の形態に係る照明付透明容器の変形例を示す斜視図である。
【図６】本発明の第２の実施の形態に係る照明付透明容器を示す背面図である。
【発明を実施するための形態】
【００１７】
以下、図面に基づき本発明の好適な各種の実施の形態を説明する。
図１および図２は、本発明の第１の実施の形態を示している。
図１は、第１の実施の形態に係る照明付透明容器１を示す斜視図であり、図２は、第１の実施の形態に係る照明付透明容器１を示す背面図である。図３は、本実施の形態に係る照明付透明容器１からＬＥＤ４０およびＬＥＤ４０に接続されている配線４１，４２を除いた容器１Ａを示す斜視図である。
【００１８】
図１に示すように、本実施の形態に係る照明付透明容器１は、植物等の被観賞物１００を収容して外部から観賞することができるようにしたものであり、暗所でも被観賞物１００に照明を当てて観賞できるようにＬＥＤ４０を備えたものである。ＬＥＤ４０は、不図示のスイッチによって任意に点灯したり、消灯したりすることができる。
【００１９】
照明付透明容器１は、被観賞物１００を載置するための載置台１０と、該載置台１０に立設した透明な周囲壁部２０と、前記載置台１０に対面する天井部３０と、光源としてのＬＥＤ４０とを備えた四角柱状の形状を有している。被観賞物１００は、例えば栽培培地を詰めたカップ１０１に植物１０２を植え込んだものである。
【００２０】
載置台１０は、内部にＡＣアダプター等を有する不図示の電源部等が収納されている。載置台１０は、内部が見えないように不透明な素材、例えば不透明なプラスチック、金属、木材等が使用されている。
【００２１】
周囲壁部２０は、透明性の高い素材が使用されており、例えばアクリル樹脂の他にもポリエチレンテレフタレート（ＰＥＴ），ポリカーボネート（ＰＣ）、飽和ポリエステル樹脂等である。なお、ガラスも使用することができる。
【００２２】
この周囲壁部２０の上には天井部３０が取り付けられている。天井部３０にはＬＥＤ４０，４０が配設されている。この天井部３０は、周囲壁部２０と同様に透明性の高い素材を使用してもよいし、不透明な素材を使用してもよい。
【００２３】
周囲壁部２０の一面（図１においては、周囲壁部２０の背面２１。）には、載置台１０側から天井部３０側まで直線状の配線４１と配線４２とが平行を成すデザインで配置されている。配線４１，４２の載置台１０側の端部は電源部に接続されている。一方、配線４１，４２の天井部３０側の端部はＬＥＤ４０に接続されている。
【００２４】
次に、図４の（Ａ）および（Ｂ）を参照しながら、内部に被観賞物１００を収容したり出したりするための構造について説明する。図４の（Ａ）および（Ｂ）は、いずれも照明付透明容器１の横断面を示す模式図である。これらの図では、配線４１，４２の図示が省略されている。
【００２５】
図４の（Ａ）に示したものは、周囲壁部２０の背面２１と左側面２３ａと右側面２３ｂとが一体に成形されており、横断面がコ字状を成している。これらは載置台１０に固定されている。また、これらの上端には天井部３０が固定されている。
【００２６】
左側面２３ａおよび右側面２３ｂそれぞれは、正面側の端面の近傍に内面側を鉛直方向に延びるガイド溝２４が刻設されている。天井部３０の正面側の端縁は、このガイド溝２４までには至らない位置に有る。
【００２７】
一方、周囲壁部２０の正面となる正面板２２の両側縁の端面からは、ガイド溝２４に嵌入する突起部２５が形成されており、該突起部２５は側縁の延びる方向に延びている。このため、正面板２２は、その両側縁の突起部２５を左側面２３ａおよび右側面２３ｂの上端からガイド溝２４に嵌め入れることによって上下方向にスライド可能になっている。
【００２８】
したがって、正面板２２を上方にスライドさせて取り外すことによって照明付透明容器１の正面側が開放されるので、この状態で載置台１０に被観賞物１００を置いたり、載置台１０から被観賞物１００を取り出したりすることが容易に行える。
【００２９】
なお、正面板２２は、その両側縁に突起部２５を形成せずに、左側面２３ａおよび右側面２３ｂに刻設したガイド溝２４の幅を正面板２２の両側縁の厚みと略同じにして、正面板２２が上下方向にスライド可能にしてもよい。
【００３０】
図４の（Ｂ）に示したものは、周囲壁部２０の正面板２２と左側面２３ａと右側面２３ｂとが一体に成形されており、横断面がコ字状に成形されている。背面２１は、載置台１０に固定されている。この背面２１の上端には天井部３０が固定されている。左側面２３ａおよび右側面２３ｂそれぞれは、背面側の端面の近傍に内面側を鉛直方向に延びる嵌合溝２６が刻設されている。この嵌合溝２６に背面２１の両側縁部を嵌脱することにより、正面板２２と左側面２３ａと右側面２３ｂとが一体となったものを背面２１に着脱することができる。
【００３１】
すなわち、左側面２３ａおよび右側面２３ｂの両端縁が開くようにして、言い換えるとコ字状の開放側を開くようにして背面２１の両側縁に嵌っている嵌合溝２６を両側縁から外す。これにより、照明付透明容器１は、正面と両側面の三方向が開放されるので、載置台１０に被観賞物１００を置いたり、載置台１０から被観賞物１００を取り出したりすることが容易に行える。
【００３２】
図５は、図１に示した本実施の形態の変形例である。
図５に示した変形例の照明付透明容器２は、配線４１，４２が背面２１に位置する部分にＬＥＤ４０，４０が取り付けられている点が照明付透明容器１とは異なっている。配線４１，４２は、一方がアノード線（陽極）であり、もう一方がカソード線（陰極）である。ＬＥＤ４０の位置は、図示した位置に限らず、任意の位置に取り付けることができる。また、ＬＥＤ４０の数も図示した２個に限られるものではない。
【００３３】
次に本実施の形態にかかる照明付透明容器１の作用を説明する。
照明付透明容器１内の載置台１０に被観賞物１００を載置したり、載置台１０の被観賞物１００を取り出したりする際は、図４の（Ａ）に示したような構成のものの場合には正面板２２を上方へスライドさせて抜き取るようにして取り外すことができる。これにより、周囲壁部２０の正面側が開いた状態になるので、被観賞物１００を照明付透明容器１に収容するときは正面側から載置台１０に被観賞物１００を載置することができる。その後、上方から正面板２２を左側面２３ａおよび右側面２３ｂのガイド溝２４に差し込めばよい。
【００３４】
被観賞物１００を収容した照明付透明容器１が明るい周囲環境内に置かれているときは、ＬＥＤ４０を点灯させることなく、内部の被観賞物１００を観賞することができる。照明付透明容器１は、配線４１，４２を例えば平行する一直線状のデザインとしたことにより、配線４１，４２がスッキリと整然とし、雑然と配置された配線から受ける視覚的な不快感を解消している。
【００３５】
これにより、観賞者は、不快感を感じることなく被観賞物１００の観賞を楽しむことができる。また、配線４１，４２を幾何学模様の繰り返しを含むデザインとした場合には、視覚的な不快感が解消されるだけでなく、観賞者に配線４１，４２のデザイン自体から美観や面白さを与えることができる。
【００３６】
被観賞物１００を収容した照明付透明容器１が暗い周囲環境内に置かれているときは、ＬＥＤ４０を点灯させることにより、被観賞物１００の観賞を十分に楽しむことができる。なお、被観賞物１００を収容した照明付透明容器１が明るい周囲環境内に置かれているときにＬＥＤ４０を点灯させても良いことは言うまでもない。また、ＬＥＤ４０は、観賞のために点灯させるだけではなく、植物１０２に光を照射させて植物１０２の育成を図るために観賞時以外にも点灯させておいても良い。
【００３７】
以上の例では、照明付透明容器１および照明付透明容器２のいずれにおいても配線４１，４２は、平行する直線状のものとして配置したが、これに限られず、さまざまな幾何学模様を繰り返すようなデザインにしてもよい。例えば、平行する矩形波のようなデザインにしてもよいし、必ずしも配線４１，４２を平行に配置する必要もない。
【００３８】
次に第２の実施の形態を説明する。
図６は本発明の第２の実施の形態に係る照明付透明容器３の背面図である。
本実施の形態では、配線のデザインを変更した点のみが第１の実施の形態と異なっている。このため、第１の実施の形態と同種の部位には同一符号を付し重複した説明を省略する。
【００３９】
図６に示した配線１４１，１４２は、植物の蔓を模したものである。配線１４１，１４２は、第１の実施の形態における配線４１，４２と同様に一方がアノード線であり、もう一方がカソード線である。例示したものには、中央部分に開花した花を模したデザインが施されている。
【００４０】
本実施の形態においても、配線１４１，１４２は、所定のデザインとして植物の蔓を模したものとすることにより、配線１４１，１４２の状態から受ける無造作で雑然とした印象を解消することができる。さらに配線１４１，１４２は、植物的なるものの印象を喚起することができ、観賞者に配線１４１，１４２による不快感を与えることなく、配線１４１，１４２のデザインから第１の実施の形態とは異なる美観や面白さを観賞者に与えることができる。
【００４１】
以上、本発明の実施の形態を図面によって説明してきたが、具体的な構成は前述した実施の形態に限られるものではなく、本発明の要旨を逸脱しない範囲における変更や追加があっても本発明に含まれる。
【００４２】
例えば、照明付透明容器１，２，３は、全体形状が四角柱状のものとして説明したが、その他の角柱状や円柱状であってもよい。また、横断面が楕円状の柱状であってもよい。前記の実施の形態では、周囲壁部２０の一部である正面側の正面板２２が取り外し可能とし、あるいは、背面２１を残して取り外し可能としたが、全体形状が四角柱状と異なるものとする場合には、例えば前記実施の形態で説明したガイド溝２４と突起部２５との組合せ等の構成を用いて、周囲壁部２０の一部が取り外しできるようにすることは言うまでもない。
【産業上の利用可能性】
【００４３】
本発明は、植物の観賞や育成を目的とした照明付透明容器であるが、照明付透明容器に収容するものは、植物に限らず収容できるものであれば人工、自然物等の様々なオブジェ、アクセサリー等の観賞などに広く適用することができる。
【符号の説明】
【００４４】
１…照明付透明容器
１Ａ…容器
２…照明付透明容器
３…照明付透明容器
１０…載置台
２０…周囲壁部
２１…背面
２２…正面板
２３ａ…左側面
２３ｂ…右側面
２４…ガイド溝
２５…突起部
２６…嵌合溝
３０…天井部
４０…ＬＥＤ
４１…配線
４２…配線
１００…被観賞物
１０１…カップ
１０２…植物
１４１…配線
１４２…配線
【図１】
2014147326.tif 000003
【図２】
2014147326.tif 000004
【図３】
2014147326.tif 000005
【図４】
2014147326.tif 000006
【図５】
2014147326.tif 000007
【図６】
2014147326.tif 000008